(57)【要約】【課題】太陽光等が当たってもステンレス特有の反射が起こらないために目立たず、それが用いられている壁面やベランダ等の外観を損ねるおそれがない片サドルを提供することを課題とする。【解決手段】ステンレス製帯板の一端部を湾曲することにより、平坦な基部とそれに連続する湾曲部とを形成し、前記基部と前記湾曲部の先端部とに対応するネジ通し穴を設け、前記基部から前記湾曲部にかけて切線を入れることにより押止舌片を形成して成る片サドルであり、少なくとも使用時において表出する部分にブラスト加工を施すことにより、反射抑止性能を持たせたことを特徴とする片サドルで、一実施形態においては、表裏全体にブラスト加工が施され、また、シャンパンゴールド色とされる。【選択図】図１
0003166817.tif 000002
【実用新案登録請求の範囲】
【請求項１】
ステンレス製帯板の一端部を湾曲することにより、平坦な基部とそれに連続する湾曲部とを形成し、前記基部と前記湾曲部の先端部とに対応するネジ通し穴を設け、前記基部から前記湾曲部にかけて切離線を入れることにより押止舌片を形成して成る片サドルであり、少なくとも使用時において表出する部分にブラスト加工を施すことにより、反射抑止性能を持たせたことを特徴とする片サドル。
【請求項２】
表裏全体にブラスト加工を施した、請求項１に記載の片サドル。
【請求項３】
シャンパンゴールド色である、請求項１又は２に記載の片サドル。
【考案の詳細な説明】
【技術分野】
【０００１】
本考案は片サドル、より詳細には、ケーブル等の配線や配管をする際に、ケーブルや管類を壁面等に支持固定するための片サドルで、特に、ステンレス特有の反射を回避し得る片サドルに関するものである。
【背景技術】
【０００２】
上記片サドルとしては、例えば、実公昭６１−３４８１５号公報（引用文献１）に記載のものが知られている（図４参照）。しかし、この片サドルによった場合、ケーブルＡへの取付けに当っては、開いた状態の取付片２、３間を更に拡げて、ケーブルＡを湾曲部内に滑り込ませるが、その後取付片２、３を重ねてネジ止めするまでの間、湾曲部はケーブルＡに対して十分広径となっていて、その内面のケーブルＡに当接する部分は多くない。従って、ケーブルＡが水平状態のときにはさ程問題ないが、それが垂直状態にあるときには、一旦位置決めしても、サドルから手を離すとサドルがずれ動いてしまうという問題があった。
【０００３】
この問題を解決するために本願出願人は、特開２００５−４５９１５号公報（引用文献２）に記載の発明を提案している。それは、帯板の一端部を湾曲することにより、平坦な基部１２とそれに連続する湾曲部１３とを形成し、前記基部１２と前記湾曲部１３の先端部とにネジ通し穴１４、１９を設け、前記基部１２から前記湾曲部１３にかけてＵ字状、Ｖ字状、コ字状等の切線を入れることにより押止舌片１５を形成し、前記押止舌片１５を若干内方に起こすことにより弾発性能を持たせて成るものである（図５参照）。
【０００４】
上述したように該片サドルは、ケーブル等の配線や配管をする際に、ケーブルや管類を壁面等に支持固定するために使用され、人目に付く場所に配置されるものであるところ、一般に片サドルはステンレス製であるために、ステンレス特有の反射が生じ、それが配置されている壁面やベランダ等の外観を損ねている場合が少なくない。
【先行技術文献】
【特許文献】
【０００５】
【特許文献１】実公昭６１−３４８１５号公報
【特許文献２】特開２００５−４５９１５号公報
【考案の開示】
【考案が解決しようとする課題】
【０００６】
このように、片サドルはステンレス製であるためにステンレス特有の反射が生じ、それが配置されている壁面やベランダ等の外観を損ねている場合が少なくなかった。そこで本考案は、そのような問題のない、即ち、太陽光等が当たってもステンレス特有の反射が起こらないために目立たず、それが用いられている壁面やベランダ等の外観を損ねるおそれがない片サドルを提供することを課題とする。
【課題を解決するための手段】
【０００７】
上記課題を解決するための請求項１に記載の考案は、ステンレス製帯板の一端部を湾曲することにより、平坦な基部とそれに連続する湾曲部とを形成し、前記基部と前記湾曲部の先端部とに対応するネジ通し穴を設け、前記基部から前記湾曲部にかけて切線を入れることにより押止舌片を形成して成る片サドルであり、少なくとも使用時において表出する部分にブラスト加工を施すことにより、反射抑止性能を持たせたことを特徴とする片サドルである。
【０００８】
一実施形態においては、表裏全体にブラスト加工が施され、また、シャンパンゴールド色とされる。
【考案の効果】
【０００９】
本考案は上記のとおりであって、少なくとも使用時において表出する部分にブラスト加工が施されているために、太陽光等が当たってもステンレス特有の反射が起こらないために目立たず、それが用いられている壁面やベランダ等の外観を損ねるおそれがない効果がある。
【図面の簡単な説明】
【００１０】
【図１】本考案に係る片サドルの一実施形態の斜視図である。
【図２】本考案に係る片サドルの一実施形態の使用状態図である。
【図３】本考案に係る片サドルの一実施形態の使用状態図である。
【図４】従来の片サドルの構成例を示す斜視図である。
【図５】従来の片サドルの他の構成例を示す斜視図である。
【考案を実施するための形態】
【００１１】
以下に、本考案を実施するための形態につき、添付図面を参照しつつ説明する。本考案に係る片サドル３０は、ステンレス製帯板の一端部を湾曲することにより、平坦な基部３１とそれに連続する湾曲部３２とを形成して成るもので、少なくとも使用時において表出する部分（一般には、表裏全体）にブラスト加工を施すことにより、反射抑止性能を持たせたことを特徴とするものであり、一実施形態においては、シャンパンゴールド仕様とされる。
【００１２】
湾曲部３２の先端部は、ケーブル５１等の導入を容易にするために、上方に反った反り上がり部３３とされる。そして、基部３１の端部と反り上がり部３３とに、対応するネジ通し穴３４、３５が形成される。通例、反り上がり部３３の側のネジ通し穴３５は円孔とされ、基部３１の側のネジ通し穴３４は長孔とされる。
【００１３】
また、基部３１から湾曲部３２にかかる部分に、Ｕ字状、Ｖ字状又はコ字状等に切離線３６が入れられることにより、押止舌片３７が形成される。押止舌片３７は、湾曲部３２側が完全に切り抜かれて自由端となり、基部３１の側のみがつながった状態となっている。押止舌片３７の自由端にはネジ通し穴３８が形成され、その部分が若干内方に起こされた状態にされる。
【００１４】
上記構成の片サドル３０の使用方法は、基本的には従来のものと変わらない。即ち、壁面５１等におけるサドル取付位置にて、湾曲部３２を開くようにしてケーブル５１を湾曲部３２内に導入する。その際ケーブル５１は、若干内方に起こされている押止舌片３７を押圧することになり、その結果ケーブル５１は、押止舌片３７の弾発力によって湾曲部３２の内面に押し付けられる。従って、片サドル３０から手を離しても、サドル３０はケーブル５１を強く抱持してずれ動くことはない。
【００１５】
そこで、ネジ通し穴３５からネジ通し穴３４にネジ４１を通し、ケーブル５１を壁面５２等に１点止めにより固定する。また、より強固に固定する場合には、押止舌片３７を外方に折曲させ、ネジ通し穴３８にネジ４２を通し、押止舌片３７の自由端を壁面５２等に、２点止めによりネジ止め固定する（図２参照）。
【００１６】
このように、本考案にかかる片サドルは、ケーブル５１等の配線や配管をする際に、ケーブル５１や管類を人目に付く壁面５２等に支持固定するために使用されるが、少なくとも使用時において表出する部分にブラスト加工が施されているために、太陽光等が当たってもステンレス特有の反射が起こらないために目立たず、それが用いられている壁面やベランダ等の外観を損ねるおそれがない。
【００１７】
逆に、ブラスト加工によって、上質感、高級感が醸し出され、殊にシャンパンゴールド使用とした場合は、高級感が醸し出されるだけではなく、周囲のサッシや壁面と一層調和しやすいものとなる。
【符号の説明】
【００１８】
３１    基部
３２    湾曲部
３３    反り上がり部
３４    ネジ通し穴
３５    ネジ通し穴
３６    切離線
３７    押止舌片
３８    ネジ通し穴
４１    止めネジ
４２    止めネジ
５１    ケーブル
５２    壁面
【図１】
0003166817.tif 000003
【図２】
0003166817.tif 000004
【図３】
0003166817.tif 000005
【図４】
0003166817.tif 000006
【図５】
0003166817.tif 000007